(57)【要約】      （修正有）【課題】コート紙の中にも光沢度が高いものも低いものもあるため、記録シートの種類に応じて光沢度を制御するだけでは、記録シートの面内において画像部の光沢度と非画像部の光沢度とが均一となるように精緻に光沢を発生させるようにした画像形成装置を提供する。【解決手段】記録媒体の光沢度である記録媒体光沢度を検知する光沢度検知手段と、光沢度検知手段によって検知された記録媒体光沢度を、有色トナーおよびクリアトナーの総付着量であるトナー総付着量に変換する変換手段と、有色トナーを記録媒体に付着させる有色トナー付着手段と、変換手段によって変換されたトナー総付着量から有色トナーの付着量を減じた量のクリアトナーを、有色トナー付着手段によって記録媒体に付着された有色トナーに付着させるクリアトナー付着量算出部５６３と、を有することを特徴とする。【選択図】図５
2013205463.tif 000002
【特許請求の範囲】
【請求項１】
有色トナーおよびクリアトナーを用いて記録媒体に形成される画像の光沢度を制御する画像形成装置であって、
前記記録媒体の光沢度である記録媒体光沢度を検知する光沢度検知手段と、
前記光沢度検知手段によって検知された記録媒体光沢度を、前記有色トナーおよび前記クリアトナーの総付着量であるトナー総付着量に変換する変換手段と、
前記有色トナーを前記記録媒体に付着させる有色トナー付着手段と、
前記変換手段によって変換された前記トナー総付着量から前記有色トナーの付着量を減じた量のクリアトナーを、前記有色トナー付着手段によって前記記録媒体に付着された有色トナーに付着させるクリアトナー付着手段と、
を有することを特徴とする画像形成装置。
【請求項２】
請求項１に記載の画像形成装置であって、
前記変換手段は、
所定の記録媒体光沢度に関連付けて、前記トナー総付着量を記憶する光沢度記憶手段と、
前記光沢度検知手段によって検知された記録媒体光沢度に基づいて前記光沢度記憶手段を検索することにより、関連付けられて記憶されている前記トナー総付着量を読み出す第一の読出手段と
を有することを特徴とする画像形成装置。
【請求項３】
請求項１に記載の画像形成装置であって、
前記記録媒体光沢度と前記記録媒体の品種を表す記録媒体情報を関連付けて記憶する記録媒体情報記憶手段と、
前記記録媒体情報を受け付ける記録媒体情報受付手段と、
前記記録媒体情報受付手段によって受け付けられた前記記録媒体情報に基づいて記録媒体情報受付手段を検索することにより関連付けて記憶されている前記記録媒体光沢度を読み出す第二の読出手段と、を有し、
前記光沢度検知手段によって検知された前記記録媒体光沢度もしくは前記第二の読出手段によって読み出された前記記録媒体光沢度のいずれに基づいて、前記第一の読出手段がトナー総付着量を読み出すかを表す情報を受け付ける第二の受付手段を有し、
前記第二の受付手段が、前記光沢度検知手段によって検知された前記記録媒体光沢度に基づいて第一の読出手段がトナー総付着量を読み出すことを表す情報を受け付けた場合には、前記第一の読出手段は前記光沢度検知手段によって検知された前記記録媒体光沢度に基づいてトナー総付着量を読み出し、
前記第二の受付手段が、前記第二の読出手段によって読み出された前記記録媒体光沢度に基づいて第一の読出手段がトナー総付着量を読み出すことを表す情報を受け付けた場合には、前記第一の読出手段は前記第二の読出手段によって読み出された前記記録媒体光沢度に基づいてトナー総付着量を読み出すことを特徴とする画像形成装置。
【請求項４】
請求項１または２に記載の画像形成装置であって、
前記光沢度検知手段は光センサであることを特徴とする画像形成装置。
【請求項５】
請求項４に記載の画像形成装置であって、
前記記録媒体を収容する給紙トレイを有し、
前記光センサは前記給紙トレイに収容されている前記記録媒体のうち最上位置にある前記記録媒体の記録媒体光沢度を検知することを特徴とする画像形成装置。
【発明の詳細な説明】
【技術分野】
【０００１】
本発明は、有色トナーおよびクリアトナーを用いて記録媒体に形成される画像の光沢度を制御する画像形成装置に関する。
【背景技術】
【０００２】
従来、コピー機等による画像形成において光沢度の高い記録シートが用いられることがある。そのような記録シートに画像を形成した場合、トナーが付着した部分（以下、画像部という）の光沢度が、トナーが付着していない部分（以下、非画像部という）の光沢度より低くなることがある。その結果、記録シートにおいて画像部の光沢度と非画像部の光沢度が異なるものとなり、記録シートの面内において光沢度が均一でないものとなっていた。記録シートの面内で大きな光沢差が発生しないようにする技術として、特許文献１にコート紙であるかマット紙であるかといった記録シートの種類に応じて、それぞれに好適となる光沢を実現する技術が記載されている。
【発明の概要】
【発明が解決しようとする課題】
【０００３】
しかしながら、コート紙であるかマット紙であるかといった記録シートの種類が同じでも、光沢度が異なる場合がある。特に近年では多様な性質の用紙があり、それらの記録シートの光沢度は様々である。たとえば、コート紙の中にも光沢度が高いものも低いものもあるため、記録シートの種類に応じて光沢度を制御するだけでは、記録シートの面内において画像部の光沢度と非画像部の光沢度とが均一となるように精緻に光沢を発生させることができないという課題が発生する。
【課題を解決するための手段】
【０００４】
上記の課題を解決するため、請求項１にかかる発明は、有色トナーおよびクリアトナーを用いて記録媒体に形成される画像の光沢度を制御する画像形成装置であって、前記記録媒体の光沢度である記録媒体光沢度を検知する光沢度検知手段と、前記光沢度検知手段によって検知された記録媒体光沢度を、前記有色トナーおよび前記クリアトナーの総付着量であるトナー総付着量に変換する変換手段と、前記有色トナーを前記記録媒体に付着させる有色トナー付着手段と、前記変換手段によって変換された前記トナー総付着量から前記有色トナーの付着量を減じた量のクリアトナーを、前記有色トナー付着手段によって前記記録媒体に付着された有色トナーに付着させるクリアトナー付着手段と、を有することを特徴とする。
【発明の効果】
【０００５】
本発明によれば、記録媒体光沢度を、有色トナーおよびクリアトナーの総付着量であるトナー総付着量に変換し、変換されたトナー総付着量から有色トナーの付着量を減じた量のクリアトナーを、記録媒体に付着された有色トナーに付着させることによって、記録媒体内の画像部の光沢度と非画像部の光沢度を均一にした画像形成を精緻に行うことができるという効果を奏する。
【図面の簡単な説明】
【０００６】
【図１】本実施形態の全体構成図である。
【図２】画像形成装置１の制御部の構成図である。
【図３】実験によって得られたトナー総付着量と画像光沢度Ｇとの関係を表す図である。
【図４】情報処理装置３のハードウェア構成図である。
【図５】画像形成装置１の機能構成図である。
【図６】光沢度管理テーブルの例を示す図である。
【図７】情報処理装置３の機能構成図である。
【図８】画像情報を選択するためのインタフェースとなる画面３３１の例である。
【図９】情報処理装置３が行う処理を示した処理フロー図である。
【図１０】画像形成装置１の制御部１０が行う処理を示した処理フロー図である。
【図１１】画像処理部５６が画像形成情報を生成する処理を示した処理フロー図である。
【図１２】用紙情報管理テーブルの例を示す図である。
【図１３】用紙光沢度変換処理に用いられる用紙光沢度Ｇｐを選択するためのインタフェースとなる画面１１７および用紙品種を選択するためのインタフェースとなる画面１１７の例である。
【発明を実施するための形態】
【０００７】
以下、図１乃至図１１を用いて、本発明の一実施形態について説明する。
【０００８】
＜＜実施形態の全体構成＞＞
図１は、本実施形態の全体構成図である。図２は、画像形成装置１の制御部の構成図である。図３は、トナー総付着量と画像光沢度Ｇとの関係を表す図である。図４は、情報処理装置３のハードウェア構成図である。
【０００９】
画像形成装置１は、コピー機、プリンタ、ファクシミリ、及びこれらの機能を複合した複合機等であり、記録媒体の一例である用紙Ｐに画像を形成する。画像形成装置１は、図１に示されるように画像読取部１１、作像部１２、給紙部１３、転写部１４、定着部１５、排紙部１６、および表示・操作部１７を有している。
【００１０】
画像読取部１１は、コンタクトガラスに載置されている画像を光学的に読み取ることにより、画像情報を生成する。具体的には、画像読取部１１は用紙Ｐに光を当てて、その反射光をＣＣＤ（Ｃｈａｒｇｅ Ｃｏｕｐｌｅｄ Ｄｅｖｉｃｅｓ）、または、ＣＩＳ（Ｃｏｎｔａｃｔ Ｉｍａｇｅ Ｓｅｎｓｏｒ）等の読取センサによって受光することによって画像情報を読み取る。なお、画像情報とは、用紙等の記録媒体に形成される画像を表す情報であり、赤（Ｒ）色、緑（Ｇ）色、青（Ｂ）色を示す電気的な色分解画像信号を用いて示されたものである。また、画像情報は制御部１０が色空間変換処理および下色除去処理をすることにより、シアン（Ｃ）色、マゼンタ（Ｍ）色、イエロー（Ｙ）色、ブラック（Ｋ）色を示す色分解画像信号に変換される。そして、変換されたＣ、Ｍ、Ｙ、Ｋ各色の色分解画像信号から用紙の部分ごとに付着させるトナー付着量Ｖｃ、Ｖｍ、Ｖｙ、Ｖｋ（以降、画像形成情報という）が算出される。
【００１１】
作像部１２は、画像読取部１１によって読み取られた画像情報、またはネットワークI／Ｆ１０２によって受信された画像情報に基づいて変換されたトナー付着量の有色トナーおよびクリアトナーを感光体ドラム１２２の表面に付着することによって感光体ドラム１２２の表面にトナー像を形成する。
【００１２】
作像部１２は、Ｃ色のトナーを感光体ドラム１２２Ｃの表面に付着することによって、感光体ドラム１２２Ｃの表面にトナー像を形成する画像形成ユニット１２０Ｃを有している。また、作像部１２は、Ｍ色のトナーを感光体ドラム１２２Ｍの表面に付着することによって、感光体ドラム１２２Ｍの表面にトナー像を形成する画像形成ユニット１２０Ｍを有している。また、作像部１２は、Ｙ色のトナーを感光体ドラム１２２Ｙの表面に付着することによって、感光体ドラム１２２Ｙの表面にトナー像を形成する画像形成ユニット１２０Ｙを有している。また、作像部１２は、Ｋ色のトナーを感光体ドラム１２２Ｋの表面に付着することによって、感光体ドラム１２２Ｋの表面にトナー像を形成する画像形成ユニット１２０Ｋを有している。また、作像部１２は、クリア（Ｔ）トナーを感光体ドラム１２２Ｔの表面に付着することによって、感光体ドラム１２２Ｔの表面にトナー像を形成する画像形成ユニット１２０Ｔを有している。
なお、以下ではＣ色トナー、Ｍ色トナー、Ｙ色トナー、Ｋ色トナーを有色トナーという。それぞれの有色トナーは、顔料や染料等の色材を含有した帯電性をもった樹脂粒子である。また、クリアトナーとは、透明のトナーであり、記録媒体に付着された有色トナーに付着してもその有色トナーを視認できるように構成された樹脂粒子である。なお、クリアトナーは記録媒体または有色トナーに付着されても、それぞれ記録媒体、有色トナーを視認できる程度の量であれば、色材を含んでいてもよい。
【００１３】
また、有色トナーおよびクリアトナーの付着量によって画像に発生する光沢の光沢度（以下、画像光沢度という。）が決まる。また、所定の付着量のＣ色トナーによって発生する画像光沢度と、同じ付着量のＭ色トナーによって発生画像光沢度は同じである。同様に、所定の付着量のＣ色トナーによって発生する画像光沢度と、同じ付着量のＹ色トナーによって発生する画像光沢度、同じ付着量のＫ色トナーによって発生する画像光沢度、同じ付着量のクリアトナーによって発生する画像光沢度はそれぞれ同じである。なお、図３にはＣ色トナー、Ｍ色トナー、Ｙ色トナー、Ｋ色トナー、クリアトナーの付着量の総計であるトナー総付着量と、それらの有色トナーおよびクリアトナーによって発生する画像光沢度の関係が表されている。なお、図３に示されるトナー総付着量と画像光沢度の関係は実験によって得られたものである。
【００１４】
以降では、画像形成ユニット１２０Ｃ、画像形成ユニット１２０Ｍ、画像形成ユニット１２０Ｙ、画像形成ユニット１２０Ｋ、画像形成ユニット１２０Ｔのうち任意の画像形成ユニットを「画像形成ユニット１２０」と表す。
【００１５】
画像形成ユニット１２０Ｃは、現像剤収容部１２１Ｃ、感光体ドラム１２２Ｃ、帯電部１２３Ｃ、露光部１２４Ｃ、現像部１２５Ｃ、除電部１２６Ｃ、および清掃部１２７Ｃを備えている。
【００１６】
現像剤収容部１２１Ｃは、Ｃ色のトナーを収容しており、収容されているＣ色のトナーは現像部１２５Ｃに対して供給される。現像剤収容部１２１Ｃに収容されているトナーは、現像剤収容部１２１Ｃ内の搬送スクリューが駆動することによって所定の量だけ現像部１２５Ｃに供給される。感光体ドラム１２２Ｃは、帯電部１２３Ｃにより表面が一様に帯電され、制御部１０から受け取った画像形成情報に基づき、露光部１２４Ｃによって表面に静電潜像が形成される。また、感光体ドラム１２２Ｃの静電潜像が形成された表面には、現像部１２５ＣがＣ色のトナーを付着させることによってトナー像が形成される。また、感光体ドラム１２２Ｃは、中間転写ベルト１４３に接するように設けられ、中間転写ベルト１４３との接点で中間転写ベルト１４３の移動方向と同じ方向に回転するように設けられている。
【００１７】
帯電部１２３Ｃは、感光体ドラム１２２Ｃの表面を一様に帯電させる。露光部１２４Ｃは、帯電部１２３Ｃによって帯電された感光体ドラム１２２Ｃの表面に、制御部１０によって決定されたＣ色のトナー付着量Ｖｃに基づいて光を照射して静電潜像を形成する。現像部１２５Ｃは、露光部１２４Ｃによって感光体ドラム１２２Ｃの表面に形成された静電潜像に対して現像剤収容部１２１Ｃに収容されているＣ色のトナーを付着させることによって現像し、トナー像を形成する。
【００１８】
除電部１２６Ｃは、中間転写ベルト１４３にトナー像が転写された後の感光体ドラム１２２Ｃの表面を除電する。清掃部１２７Ｃは、除電部１２６Ｃによって除電された感光体ドラム１２２Ｃの表面に残ったＣ色トナーを除去する。
【００１９】
画像形成ユニット１２０Ｍ、画像形成ユニット１２０Ｙ、画像形成ユニット１２０Ｋ、画像形成ユニット１２０Ｔは画像形成ユニット１２０Ｃと同じ機能を有しているため、ここでの説明を割愛する。なお、画像形成ユニット１２０Ｍが画像形成ユニット１２０Ｃと異なる点はＣ色トナーを収容した現像剤収容部１２１Ｃではなく、Ｍ色トナーを収容した現像剤収容部１２１Ｍを有しているという点である。また、画像形成ユニット１２０Ｙが画像形成ユニット１２０Ｃと異なる点はＣ色トナーを収容した現像剤収容部１２１Ｃではなく、Ｙ色トナーを収容した現像剤収容部１２１Ｙを有しているという点である。画像形成ユニット１２０Ｙが画像形成ユニット１２０Ｃと異なる点はＣ色トナーを収容した現像剤収容部１２１Ｃではなく、Ｙ色トナーを収容した現像剤収容部１２１Ｙを有しているという点である。また、画像形成ユニット１２０Ｋが画像形成ユニット１２０Ｃと異なる点はＣ色トナーを収容した現像剤収容部１２１Ｃではなく、Ｋ色トナーを収容した現像剤収容部１２１Ｋを有しているという点である。また、画像形成ユニット１２０Ｔが画像形成ユニット１２０Ｃと異なる点はＣ色トナーを収容した現像剤収容部１２１Ｃではなく、クリアトナーを収容した現像剤収容部１２１Ｔを有しているという点である。
【００２０】
なお、以降では、現像剤収容部１２１Ｃ、現像剤収容部１２１Ｍ、現像剤収容部１２１Ｙ、現像剤収容部１２１Ｋ、現像剤収容部１２１Ｔのうち任意の現像剤収容部を「現像剤収容部１２１」と表す。また、感光体ドラム１２２Ｃ、感光体ドラム１２２Ｍ、感光体ドラム１２２Ｙ、感光体ドラム１２２Ｋ、感光体ドラム１２２Ｔのうち任意の感光体ドラムを「感光体ドラム１２２」と表す。また、帯電部１２３Ｃ、帯電部１２３Ｍ、帯電部１２３Ｙ、帯電部１２３Ｋ、帯電部１２３Ｔのうち任意の帯電部を「帯電部１２３」と表す。また、露光部１２４Ｃ、露光部１２４Ｍ、露光部１２４Ｙ、露光部１２４Ｋ、露光部１２４Ｔのうち任意の露光部を「露光部１２４」と表す。また、現像部１２５Ｃ、現像部１２５Ｍ、現像部１２５Ｙ、現像部１２５Ｋ、現像部１２５Ｔのうち任意の現像部を「現像部１２５」と表す。また、除電部１２６Ｃ、除電部１２６Ｍ、除電部１２６Ｙ、除電部１２６Ｋ、除電部１２６Ｔのうち任意の除電部を「除電部１２６」と表す。また、清掃部１２７Ｃ、清掃部１２７Ｍ、清掃部１２７Ｙ、清掃部１２７Ｋ、清掃部１２７Ｔのうち任意の清掃部を「清掃部１２７」と表す。
【００２１】
給紙部１３は、転写部１４に対して用紙Ｐを供給する。給紙部１３は、給紙トレイ１３１、給紙ローラ１３２、給紙経路１３３、レジストローラ１３４、および光センサ１３５を備えている。
【００２２】
給紙トレイ１３１は、記録媒体の一例である用紙Ｐを収容している。給紙ローラ１３２は、給紙トレイ１３１に収容されている用紙Ｐを給紙経路１３３の方へ移動させるために回転するように設けられている。このように設けられている給紙ローラ１３２は、収容されている用紙のうち最上位置にある用紙Ｐを取り出して給紙経路１３３に送り出す。
【００２３】
給紙経路１３３は、給紙ローラ１３２によって取り出された用紙Ｐを転写部１４に搬送する。レジストローラ１３４は、後述する中間転写ベルト１４３のトナー像が形成されている部分が二次転写ローラ１４５に到達するタイミングで給紙経路１３３によって搬送された用紙Ｐを送り出す。光センサ１３５は、給紙トレイ１３１の上部に設置され、給紙トレイ１３１に収容されている記録媒体のうち最上位置にある用紙Ｐの表面の光沢度である用紙光沢度Ｇｐを検知する。用紙光沢度Ｇｐを検知するためには日本工業規格の鏡面光沢度を測定する方法（ＪＩＳ  Ｚ  ８７４１）を用いればよい。なお、用紙光沢度Ｇｐは記録媒体光沢度の一例である。
【００２４】
転写部１４は、作像部１２によって感光体ドラム１２２の表面に有色トナーまたはクリアトナーが付着されることによって、感光体ドラム１２２の表面に形成されたトナー像を中間転写ベルト１４３に転写する（以下、一次転写という）。また、転写部１４は、中間転写ベルト１４３に転写されたトナー像を用紙Ｐに転写することによって、有色トナーおよびクリアトナーを用紙Ｐに付着させる（以下、二次転写という）。
【００２５】
転写部１４は、駆動ローラ１４１、従動ローラ１４２、中間転写ベルト１４３、一次転写ローラ１４４Ｃ、１４４Ｍ、１４４Ｙ、１４４Ｋ、１４４Ｔ、二次転写ローラ１４５、二次対向ローラ１４６、テンションローラ１４７を備えている。
【００２６】
駆動ローラ１４１は、従動ローラ１４２とともに中間転写ベルト１４３を掛け渡す。駆動ローラ１４１がモータによって駆動し回転すると掛け渡されている中間転写ベルト１４３が移動する。中間転写ベルト１４３は、駆動ローラ１４１、従動ローラ１４２、二次転写ローラ１４５、およびテンションローラ１４７に掛け渡され、駆動ローラ１４１の回転とともに感光体ドラム１２２に接しながら移動する。中間転写ベルト１４３が感光体ドラム１２２に接しながら移動することによって、各感光体ドラム１２２に形成された画像が中間転写ベルト１４３の表面に転写される。これによって、中間転写ベルト１４３の表面にトナー像を形成している有色トナーおよびクリアトナーが付着される。
【００２７】
一次転写ローラ１４４Ｃ、１４４Ｍ、１４４Ｙ、１４４Ｋ、１４４Ｔは、中間転写ベルト１４３を挟んで、それぞれ感光体ドラム１２２Ｃ、１２２Ｍ、１２２Ｙ、１２２Ｋ、１２２Ｔと対向して備えられ、中間転写ベルト１４３を移動させるように回転する。二次転写ローラ１４５は、二次対向ローラ１４６との間に中間転写ベルト１４３と用紙Ｐを挟みこんで回転する。これによって、中間転写ベルト１４３に付着されていた有色トナーおよびクリアトナーは用紙Ｐに付着される。テンションローラ１４７は、中間転写ベルト１４３を押すように配置されることによって、中間転写ベルトの張り度合いを調整する。なお、作像部１２、転写部１４はトナー付着手段の一例である。
【００２８】
定着部１５は、転写部１４によってトナー像が転写され、用紙Ｐに付着された有色トナーおよびクリアトナーを定着させる。定着とは、トナーに熱と圧力を同時に加えることによってトナーの樹脂成分を用紙に溶着させることである。転写部１４によって用紙Ｐに付着された有色トナーおよびクリアトナーを定着部１５が定着させることによって、用紙Ｐ上の有色トナーおよびクリアトナーの状態は安定したものとなる。
【００２９】
定着部１５は、搬送ベルト１５１、定着ベルト１５２、定着ローラ１５３、定着ベルト搬送ローラ１５４、定着対向ローラ１５５、発熱部１５６を有している。
【００３０】
搬送ベルト１５１は、転写部１４によってトナー像が転写され、トナーが付着している用紙Ｐを定着ローラ１５３、定着対向ローラ１５５に向けて搬送する。定着ベルト１５２は、定着ローラ１５３と定着ベルト搬送ローラ１５４とに掛け渡され、それらのローラが回転することによって移動する。定着ローラ１５３は、対向して設置されている定着対向ローラ１５５との間で、搬送ベルト１５１に搬送された用紙Ｐを挟みこんで、用紙Ｐを加圧・加熱する。  
定着ベルト搬送ローラ１５４は、定着ローラ１５３とともに定着ベルト１５２を掛け渡すものであり、定着ベルト搬送ローラ１５４が回転することによって定着ベルト１５２を移動させる。定着対向ローラ１５５は、定着ローラ１５３に対向して設置されるものであり、定着ローラ１５３との間に搬送された用紙Ｐを挟みこむ。発熱部１５６は、定着ローラ１５３の内部に設置され、発熱するものであり、定着ローラ１５３を介して用紙Ｐを加熱する。
【００３１】
排紙部１６は、定着部１５でトナーが定着された用紙Ｐを画像形成装置１から排出するものであり、排紙ベルト１６１、排紙ローラ１６２、排紙口１６３、および排紙トレイ１６４を有している。排紙ベルト１６１は、定着部１５によってトナーが定着された用紙Ｐを排紙口１６３に向けて搬送する。排紙ローラ１６２は、排紙ベルト１６１によって搬送された用紙Ｐを排紙口１６３から排出し、排出された用紙Ｐを排紙トレイ１６４が収容する。
【００３２】
表示・操作部１７は、パネル表示部１７１および操作部１７２を有している。パネル表示部１７１には設定値や選択画面等が表示される。また、パネル表示部１７１は、操作者からの入力を受け付けるタッチパネル等である。操作部１７２は、画像形成にかかる諸条件を受け付けるテンキー、複写開始指示を受け付けるスタートキー等のユーザが入力をするために操作を行うためのものである。
【００３３】
また、画像形成装置１は制御部１０を有している。制御部１０は、図２に示すようにＣＰＵ（Ｃｅｎｔｒａｌ Ｐｒｏｃｅｓｓｉｎｇ Ｕｎｉｔ）１０１１、メインメモリ（ＭＥＭ−Ｐ）１０１２、ノースブリッジ（ＮＢ）１０１３、サウスブリッジ（ＳＢ）１０１４、ＡＧＰ（Ａｃｃｅｌｅｒａｔｅｄ Ｇｒａｐｈｉｃｓ Ｐｏｒｔ）バス１０１５、ＡＳＩＣ（Ａｐｐｌｉｃａｔｉｏｎ Ｓｐｅｃｉｆｉｃ Ｉｎｔｅｇｒａｔｅｄ Ｃｉｒｃｕｉｔ）１０１６、ローカルメモリ（ＭＥＭ−Ｃ）１０１７、ＨＤ（Ｈａｒｄ Ｄｉｓｋ）１０１８、ＨＤＤ（Ｈａｒｄ Ｄｉｓｋ Ｄｒｉｖｅ）１０１９、ネットワークＩ／Ｆ１０２を有している。
【００３４】
ＣＰＵ１０１１は、ＭＥＭ−Ｐ１０１２に記憶されたプログラムに従って、データを加工したり、演算したりする。メインメモリ１０１２は制御部１０の記憶領域であり、ＲＯＭ（Ｒｅａｄ Ｏｎｌｙ Ｍｅｍｏｒｙ）１０１２ａ、ＲＡＭ（Ｒａｎｄｏｍ Ａｃｃｅｓｓ Ｍｅｍｏｒｙ）１０１２ｂを有している。ＲＯＭ１０１２ａは、制御部１０の各機能を実現させるプログラムやデータの格納用メモリである。ＲＯＭ１０１２ａに記憶されているプログラムは、インストール可能な形式又は実行可能な形式のファイルでＣＤ−ＲＯＭ、ＦＤ、ＣＤ−Ｒ、ＤＶＤ等のコンピュータで読み取り可能な記録媒体に記録して提供するように構成してもよい。
【００３５】
ＲＡＭ１０１２ｂは、プログラムやデータの展開、及びメモリ印刷時の描画用メモリなどとして用いる。ＮＢ１０１３は、ＣＰＵ１０１１と、ＭＥＭ−Ｐ１０１２、ＳＢ１０１４、及びＡＧＰバス１０１５とを接続するためのブリッジである。ＳＢ１０１４は、ＮＢ１０１３とＰＣＩデバイス、周辺デバイスとを接続するためのブリッジである。ＡＧＰバス１０１５は、グラフィック処理を高速化するために提案されたグラフィックスアクセラレータカード用のバスインタフェースである。
【００３６】
ＡＳＩＣ１０１６は、ＰＣＩターゲットおよびＡＧＰマスタ、ＡＳＩＣ１０１６の中核をなすアービタ（ＡＲＢ）、ＭＥＭ−Ｃ１０１７を制御するメモリコントローラ、ハードウェアロジックなどにより画像データの回転などを行う複数のＤＭＡＣ（Ｄｉｒｅｃｔ Ｍｅｍｏｒｙ Ａｃｃｅｓｓ Ｃｏｎｔｒｏｌｌｅｒ）からなる。このＡＳＩＣ１０１６は、ＰＣＩバスを介してＵＳＢ（Ｕｎｉｖｅｒｓａｌ Ｓｅｒｉａｌ Ｂｕｓ）のインタフェースや、ＩＥＥＥ１３９４（Ｉｎｓｔｉｔｕｔｅ ｏｆ Ｅｌｅｃｔｒｉｃａｌ ａｎｄ Ｅｌｅｃｔｒｏｎｉｃｓ Ｅｎｇｉｎｅｅｒｓ １３９４）のインタフェースに接続されている。
【００３７】
ＭＥＭ−Ｃ１０１７は、コピー用画像バッファ及び符号バッファとして用いるローカルメモリである。ＨＤ１０１８は、画像データの蓄積、印刷時に用いるフォントデータの蓄積、フォームの蓄積を行うためのストレージである。ＨＤＤ１０１９は、ＣＰＵ１０１１の制御にしたがってＨＤ１０１８に対するデータの読み出し又は書き込みを制御する。ネットワークＩ／Ｆ１０２は、通信ネットワーク６１を介して情報処理装置３等の外部機器と情報を送受信する。
【００３８】
＜情報処理装置の構成＞
続いて、図４を用いて情報処理装置３のハードウェア構成を説明する。情報処理装置３は、パーソナルコンピュータ等であり、情報処理装置３全体の動作を制御するＣＰＵ３０１、情報処理プログラムを記憶したＲＯＭ３０２、ＣＰＵ３０１のワークエリアとして使用されるＲＡＭ３０３、各種データを記憶するＨＤ（Ｈａｒｄ Ｄｉｓｋ）３０４、ＣＰＵ３０１の制御にしたがってＨＤ３０４に対する各種データの読み出し又は書き込みを制御するＨＤＤ（Ｈａｒｄ Ｄｉｓｋ Ｄｒｉｖｅ）３０５、フラッシュメモリ等の記憶メディア３０６に対するデータの読み出し又は書き込み（記憶）を制御するメディアドライブ３０７、カーソル、メニュー、ウィンドウ、文字、画像などの各種情報をディスプレイに表示させるためのディスプレイＩ／Ｆ（Ｉｎｔｅｒｆａｃｅ）３０８、通信ネットワーク６１を利用してデータ伝送をするためのネットワークＩ／Ｆ３０９、文字、数値、各種指示などの入力のための複数のキーを備えたキーボードを制御するためのキーボードＩ／Ｆ３１０、各種指示の選択や実行、処理対象の選択、カーソルの移動などを行うマウスを制御するためのマウスＩ／Ｆ３１１、着脱可能な記憶媒体の一例としてのＣＤ−ＲＯＭ(Ｃｏｍｐａｃｔ Ｄｉｓｋ Ｒｅａｄ Ｏｎｌｙ Ｍｅｍｏｒｙ)３１２に対するデータの読み出し又は書き込みを制御するＣＤ−ＲＯＭドライブ３１３、及び、上記各構成要素を図４に示されるように電気的に接続するためのアドレスバスやデータバス等のバスライン３１４を備えている。
【００３９】
なお、上記情報処理プログラムは、インストール可能な形式又は実行可能な形式のファイルで、上記記憶メディア３０６やＣＤ−ＲＯＭ３１２等のコンピュータで読み取り可能な記憶媒体に記録して流通させるようにしてもよい。
【００４０】
＜＜本実施形態の機能構成＞＞
続いて本実施形態における画像形成装置１、情報処理装置３の機能構成について図５乃至図８を用いて説明する。図５は、画像形成装置１の機能構成図である。図６は、光沢度管理テーブルの例を示す図である。図７は、情報処理装置３の機能構成図である。図８は、画像情報を選択するためのインタフェースとなる画面３３１の例である。
【００４１】
＜画像形成装置の機能構成＞
本実施形態における画像形成装置１の機能構成について図５を用いて説明する。
【００４２】
送受信部５２、入力受付部５３、画像読取制御部５４、画像処理部５６、および記憶部５０００を備えている。
【００４３】
記憶部５０００は、図２に示されるＲＡＭ１０１２ｂによって構成されており、情報を記憶する。記憶部５０００には図６に示されるような光沢度管理テーブルが構築されている。光沢度管理テーブルには、用紙光沢度Ｇｐ、用紙光沢度Ｇｐと同じ光沢度を発生させるために付着させる有色トナーおよびクリアトナーの総付着量であるトナー総付着量Ｖｔｏｔａｌ２が関連付けられて記憶されている。光沢度管理テーブルで管理されている用紙光沢度Ｇｐおよびトナー総付着量Ｖｔｏｔａｌ２の関係は図３に示される実験データから得たものである。図６に示される例では、用紙光沢度Ｇｐ＝２５に関連付けられてトナー総付着量Ｖｔｏｔａｌ＝０．６５ｇ／ｃｍ２が記憶されている。また、用紙光沢度Ｇｐ＝４０に関連付けられてトナー総付着量Ｖｔｏｔａｌ＝０．８５ｇ／ｃｍ２が記憶されている。また、用紙光沢度Ｇｐ＝５０に関連付けられてトナー総付着量Ｖｔｏｔａｌ＝０．９５ｇ／ｃｍ２が記憶されている。図６に示される例では、用紙光沢度がＧｐ＝２５、４０、５０の場合が示されているが、光センサ１３５が検知した値をトナー総付着量に変換できるように、用紙光沢度について０．１おきにトナー総付着量が関連付けられて記憶されている。なお、記憶部５０００は記憶手段の一例である。
【００４４】
送受信部５２は、図２に示されるネットワークＩ／Ｆ１０２によって実現され、通信ネットワーク６１を介して情報処理装置３と画像情報を送受信する。入力受付部５３は、図１に示される表示・操作部１７にユーザが入力した各種情報を受け付ける。画像読取制御部５４は、画像読取部１１が原稿を光学的に読み取ることにより画像情報を生成する。
【００４５】
画像処理部５６は送受信部５２によって受信された画像情報に基づいて画像処理を行う。具体的には、画像処理部５６は送受信部５２によって受信された画像情報をＣ色、Ｍ色、Ｙ色、Ｋ色の各色トナーのトナー付着量Ｖｃ、Ｖｍ、Ｖｙ、Ｖｋ（以降、画像形成情報という）に変換する。また、画像処理部５６は画像形成情報および用紙光沢度Ｇｐに基づいてクリアトナーの付着量であるクリアトナー付着量Ｖｔを算出する。画像処理部５６は、画像情報変換部５６１、用紙光沢度変換部５６２、クリアトナー付着量算出部５６３を有している。
【００４６】
画像情報変換部５６１は、送受信部５２によって受信された画像情報に対して色空間変換処理および下色除去処理をして画像形成情報に変換する。なお、画像情報変換部５６１は色空間変換処理、下色除去処理のほかにシェーディング補正、位置ズレ補正、色空間の変換、ガンマ補正等を行ってもよい。なお、トナー付着量は用紙に形成される画像を構成する網点を一の単位として単位面積ごとに付着されるトナー量である。
【００４７】
用紙光沢度変換部５６２は、画像形成情報が表すトナー付着量Ｖｃ、Ｖｍ、Ｖｙ、Ｖｋの有色トナーが付着されることによって用紙Ｐに形成される画像の画像光沢度Ｇを読み出す。具体的には、用紙光沢度変換部５６２の有する記憶・読出処理部５６２１が用紙光沢度Ｇｐに関連付けられて光沢度管理テーブルに記憶されているトナー総付着量Ｖｔｏｔａｌ２を読み出す。図６に示される例では、光センサ１３５によって用紙光沢度Ｇｐ＝４０が検知された場合、記憶・読出処理部５６２１は用紙光沢度Ｇｐ＝４０に関連付けられて記憶されているトナー総付着量Ｖｔｏｔａｌ２＝０．８５ｇ／ｃｍ２を読み出す。なお、光センサ１３５は光沢度検知手段の一例であり、用紙光沢度変換部５６２は光沢度変換手段の一例である。記憶・読出処理部５６２１は第一の読出手段の一例である。
【００４８】
クリアトナー付着量算出部５６３は、用紙光沢度変換部５６２によって変換されたトナー総付着量Ｖｔｏｔａｌ２と画像情報変換部５６１によって変換された画像形成情報が表す有色トナーのトナー総付着量Ｖｔｏｔａｌ１に基づいて、用紙Ｐに付着させるクリアトナー付着量Ｖｔを算出する。具体的には、用紙光沢度変換部５６２によって変換されたトナー総付着量Ｖｔｏｔａｌ２から、画像情報変換部５６１によって変換された画像形成情報が表す有色トナーのトナー総付着量Ｖｔｏｔａｌ１を減じ、クリアトナー付着量Ｖｔ＝Ｖｔｏｔａｌ２−Ｖｔｏｔａｌ１を算出する。図６に示す例では、光センサ１３５によって検知された用紙光沢度Ｇｐ＝４０と同じ画像光沢度Ｇを発生させるために必要な有色トナーおよびクリアトナーのトナー総付着量Ｖｔｏｔａｌ２は０．８５ｇ／ｃｍ２であるため、有色トナー総付着量Ｖｔｏｔａｌ１が０．２６ｇ／ｃｍ２である場合、クリアトナー付着量算出部５６３はＶｔ＝Ｖｔｏｔａｌ２−Ｖｔｏｔａｌ１＝０．８５ｇ／ｃｍ２−０．２６ｇ／ｃｍ２＝０．５９ｇ／ｃｍ２と算出する。なお、クリアトナー付着量算出部５６３はクリアトナー付着量算出手段の一例である。
【００４９】
＜情報処理装置の機能構成＞
次に、図７を用いて情報処理装置３の機能構成を説明する。図７に示されるように、情報処理装置３は、送信部３２１、表示制御部３２２、入力受付部３２３、記憶・読出処理部３２９、および画像情報記憶部３０００を有している。送信部３２１、表示制御部３２２、および入力受付部３２３は、図４に示されるＲＯＭ３０２に記憶されているプログラムに従ったＣＰＵ３０１からの命令によって動作することで実現される機能又は手段である。画像情報記憶部３０００は、図４に示されるＨＤ３０４等により構築されている。
【００５０】
画像情報記憶部３０００は、用紙Ｐに形成される画像を表す画像情報および、画像情報を一意に識別するためのファイルＩＤ、ページＮｏ等の画像識別情報を記憶している。
【００５１】
送信部３２１は、図４に示されるネットワークＩ／Ｆ３０９によって実現され、通信ネットワーク６１を介して画像形成装置１に画像情報を送信する。表示制御部３２２は、図４に示されるディスプレイＩ／Ｆ３０８によって実現され、表示装置３３０に画像情報が表す画像、画像識別情報を表示させるための制御を行う。入力受付部３２３は、図４に示されるキーボードＩ／Ｆ３１０、マウスＩ／Ｆ３１１によって実現され、ユーザがキーボードやマウスを操作することによって入力した情報を受け付ける。
【００５２】
記憶・読出処理部３２９は、図４に示されるＨＤＤ３０５によって実行され、画像情報記憶部３０００に画像情報、画像識別情報を記憶したり、画像情報記憶部３０００に記憶された画像情報、画像識別情報を読み出したりする処理を行う。
【００５３】
ここで、ユーザがキーボードやマウスを操作することによって情報を入力するために、表示制御部３２２が表示装置３３０に表示させる画面３３１の例について図８を用いて説明する。画面３３１は表示・選択部３３２、画像表示部３３３ａ、３３３ｂ、３３３ｃ、３３３ｄ、３３３ｅ、印刷ボタン３３４等から構成されている。なお、画像表示部３３３ａ、３３３ｂ、３３３ｃ、３３３ｄ、３３３ｅのうち任意の画像表示部を画像表示部３３３という。また、図８に示す例ではひとつのファイルに５ページの画像が含まれている例を示しているが、６ページ以上の画像が含まれる場合には、画像表示部３３３ｆ、３３３ｇ、・・・のように、表示制御部３２２はページ数と同じ数の画像表示部３３３に各ページの画像を表示させる。
【００５４】
表示・選択部３３２には、画像情報記憶部３０００に記憶されている画像情報が表す画像が表示される。具体的には、表示・選択部３３２内の画像表示部３３３にひとつずつ画像が表示される。図８に示す例では、ファイルＩＤ「００１」、ファイル名「○×販売促進資料」のファイルに含まれる全てのページの画像がそれぞれ画像表示部３３３ａ、３３３ｂ、３３３ｃ、３３３ｄ、３３３ｅにページごとに表示される。また、表示・選択部３３２に表示されている画像内の領域をユーザがマウス等を用いて選択する。図８に示す例では、点線で示されている画像表示部３３３ａ、３３３ｂ、３３３ｃに表示されている画像がユーザによって選択されている。このように一以上の画像が選択されている状態で印刷ボタン３３４がクリックされると、入力受付部３２３が選択されている画像の画像識別情報であるファイルＩＤ、ページＮｏを受け付ける。そして、入力受付部３２３によって受け付けられた情報に対応する画像を表す画像情報を画像形成装置１に送信する。
【００５５】
＜＜本実施形態の処理・動作＞＞
図９乃至図１１を用いて、本実施形態に係る画像形成についての処理を説明する。図９は、情報処理装置３が行う処理を示した処理フロー図である。図１０は、画像形成装置１の制御部１０が行う処理を示した処理フロー図である。図１１は、画像処理部５６が画像形成情報を生成する処理を示した処理フロー図である。
【００５６】
＜情報処理装置の処理＞
まず、図９に示されるように、情報処理装置３の表示制御部３２２が画像情報記憶部３０００に記憶されている画像情報に基づいて、表示装置３３０の画面３３１（図８参照）の表示・選択部３３２の画像表示部３３３に画像を表示させる（ステップＳ１１）。そして、画像表示部３３３に表示された画像のうちユーザが印刷したい画像を選択し印刷ボタン３３４を押すと、入力受付部３２３がユーザよって印刷ボタンを押されたときに選択されている画像の画像識別情報を受け付ける（ステップＳ１２）。なお、画像識別情報にはファイルＩＤ、ページＮｏが含まれる。図８に示される例を用いて説明すると、印刷ボタン３３４がユーザによってクリックされることによって、画像表示部３３３ａに表示されている画像のファイルＩＤ「００１」、ページＮｏ「１」、画像表示部３３３ｂに表示されている画像のファイルＩＤ「００１」、ページＮｏ「２」、画像表示部３３３ｃに表示されている画像のファイルＩＤ「００１」、ページＮｏ「３」を入力受付部３２３が受け付ける。
【００５７】
ステップＳ１２で入力受付部３２３が画像識別情報を受け付けると記憶・読出処理部３２９が画像情報記憶部３０００から画像識別情報に関連付けて記憶されている画像情報を読み出し、送信部３２１が読み出された画像情報を画像形成装置１へ送信する（ステップＳ１３）。
【００５８】
＜画像形成装置の処理＞
情報処理装置３の送信部３２１が、画像情報を画像形成装置１に対して送信すると、図１０に示されるように、画像形成装置１の送受信部５２が、通信ネットワーク６１を介して送信された画像情報を受信する（ステップＳ２１）。
【００５９】
ステップＳ２１で送受信部５２によって画像情報が受信されると、給紙ローラ１３２の上部に設置された光センサ１３５が給紙トレイ１３１に収容されている用紙のうち最上位置にある用紙Ｐの用紙光沢度Ｇｐを検知する（ステップＳ２２）。
【００６０】
光センサ１３５によって用紙Ｐの用紙光沢度Ｇｐが検知されると、給紙部１３が給紙処理を行う（ステップＳ２３）。具体的には、給紙部１３の給紙ローラ１３２が給紙トレイ１３１に収容されている用紙Ｐを１枚ずつ取り出す。そして、取り出された用紙Ｐは給紙経路１３３に沿ってレジストローラ１３４まで搬送される。そして、搬送された用紙Ｐがレジストローラ１３４に到達すると、中間転写ベルト１４３の表面に形成されたトナー像が二次転写ローラ１４５に到達するまでレジストローラ１３４が用紙Ｐを挟み込んで待機させる。そして、中間転写ベルト１４３に形成されたトナー像が転写部１４に到達するタイミングで、レジストローラ１３４は二次転写ローラ１４５と二次対向ローラ１４６の間に用紙Ｐを送り込む。
【００６１】
また、ステップＳ２１で送受信部５２によって画像情報が受信されると、画像処理部５６が画像処理を行う（ステップＳ２４）。ここで、画像処理部５６が画像情報に基づいて行う画像処理の詳細について図１１を用いて説明する。まず、画像情報変換部５６１が受信された赤（Ｒ）、緑（Ｇ）、青（Ｂ）の各色を表す画像情報に対して色空間変換処理および下色除去処理をし、Ｃ色、Ｍ色、Ｙ色、Ｋ色のトナー付着量Ｖｃ、Ｖｍ、Ｖｙ、Ｖｋに変換する（ステップＳ２４１）。なお、画像情報変換部５６１は、画像情報に色空間変換処理、下色除去処理の他に色補正処理、空間周波数補正処理等の画像処理を行ってもよい。このようにして、各色のトナー付着量Ｖｃ、Ｖｍ、Ｖｙ、Ｖｋで表される画像形成情報が生成される。そして、画像形成情報が生成されると、画像形成情報が表す各色のトナー付着量Ｖｃ、Ｖｍ、Ｖｙ、Ｖｋの総計が有色トナーのトナー総付着量Ｖｔｏｔａｌ１として算出される。
【００６２】
画像形成情報が表す各有色トナーが用紙Ｐに付着されて形成される画像の光沢度は用紙Ｐの用紙光沢度Ｇｐとは異なる値である場合がある。たとえば、用紙光沢度Ｇｐが４０の用紙Ｐにトナー総付着量０．２６ｇ／ｃｍ２の有色トナーを付着させる場合、用紙Ｐに有色トナーによって形成される画像の画像光沢度Ｇは２８となる（図３参照）。そのため、用紙内にトナーが付着されない部分がある場合、画像が形成された用紙全体の光沢度は均一でない状態となってしまう。
【００６３】
そこで、画像形成装置１は、画像光沢度Ｇを用紙光沢度Ｇｐと同じ程度にするために有色トナーが付着している部分にクリアトナーを付着する。具体的には、画像形成装置１は、用紙光沢度管理テーブルに管理されている用紙光沢度Ｇｐと同じ画像光沢度Ｇの光沢とするために要する有色トナーおよびクリアトナーのトナー総付着量Ｖｔｏｔａｌ２となるようにクリアトナー付着する。
【００６４】
そのために、まず、用紙光沢度変換部５６２は、ステップＳ２２で光センサによって検知された用紙光沢度Ｇｐをトナー総付着量Ｖ２に変換する（ステップＳ２４３）。具体的には、用紙光沢度変換部５６２の有する記憶・読出処理部５６２１が記憶部５０００の光沢度管理テーブルで用紙光沢度Ｇｐに関連付けて記憶されているトナー総付着量Ｖ２を読み出す。
【００６５】
次に、クリアトナー付着量算出部５６３は、画像情報変換部５６１によって形成されたトナー総付着量Ｖｔｏｔａｌ１と用紙光沢度変換部５６２によって変換されたトナー総付着量Ｖｔｏｔａｌ２に基づいて、用紙Ｐに付着させるクリアトナー付着量Ｖｔを算出する（ステップＳ２４４）。具体的には、記憶・読出処理部５６２１が、光センサ１３５によって検知された用紙光沢度Ｇｐを検索キーとして光沢度管理テーブルからトナー総付着量Ｖｔｏｔａｌ２を読み出す。そして、クリアトナー付着量算出部５６３が読み出されたトナー総付着量Ｖｔｏｔａｌ２から、画像情報変換部５６１によって変換された各色のトナー付着量のトナー総付着量Ｖｔｏｔａｌ１を減じることによってクリアトナー付着量Ｖｔを算出する。
【００６６】
図６に示される例では、記憶・読出処理部５６２１は、光センサ１３５によって検知された用紙光沢度Ｇｐ＝４０を検索キーとして用紙光沢度管理テーブルからトナー総付着量Ｖｔｏｔａｌ２を０．８５ｇ／ｃｍ２と読み出す。そして、画像情報変換部５６１によって変換された有色トナーのトナー総付着量Ｖｔｏｔａｌ１は０．２６ｇ／ｃｍ２であるため、クリアトナー付着量算出部５６３はクリアトナー付着量をＶｔ＝Ｖｔｏｔａｌ２−Ｖｔｏｔａｌ１＝０．８５ｇ／ｃｍ２−０．２６ｇ／ｃｍ２＝０．５９ｇ／ｃｍ２と算出する。
【００６７】
続いて、作像部１２の各画像形成ユニット１２０が画像処理部５６によって決定された画像形成情報およびクリアトナー付着量Ｖｔに基づいて、有色トナーおよびクリアトナーを付着させることによって感光体ドラム１２２にトナー像を作像する作像処理を行う（ステップＳ２５）。
【００６８】
具体的には、まず、図１に示される帯電部１２３Ｃが、回転する感光体ドラム１２２Ｃの表面を一様に帯電させる。そして、露光部１２４Ｃが、帯電部１２３Ｃによって帯電された感光体ドラム１２２Ｃの表面に、画素ごとに画像処理部５６によって決定されたＣ色のトナー付着量Ｖｃに基づいてレーザ光を照射する。これによって、感光体ドラム１２２Ｃの表面にはトナー付着量ＶｃのＣ色トナーが付着されるように静電潜像が形成される。感光体ドラム１２２Ｃの表面に静電潜像が形成されると、現像部１２５Ｃは現像剤収容部１２１Ｃに収容されているＣ色トナーを用いて帯電部１２３Ｃおよび露光部１２４Ｃによって形成された静電潜像を現像する。このようにしてＣ色のトナー像が作像される。
【００６９】
同様にして、感光体ドラム１２２Ｍ、１２２Ｙ、１２２Ｋ、１２２Ｔの表面にそれぞれＭ色トナー、Ｙ色トナー、Ｋ色トナー、クリアトナーによってトナー像が作像される。これらの処理は感光体ドラム１２２Ｃの表面にＣ色のトナー像が作像されるための処理と同様であるため説明を省略する。
【００７０】
以上のように各感光体ドラム１２２の表面に有色トナーおよびクリアトナーによってトナー像が作像されると、転写部１４が転写処理を行う（ステップＳ２６）。具体的には、まず、図１に示される一次転写ローラ１４４が中間転写ベルト１４３に一次転写バイアスをかける。すると、中間転写ベルト１４３に各感光体ドラム１２２の表面のトナー像が一次転写される。なお、一次転写バイアスとは、感光体ドラム１２２の表面に帯電されている静電荷とは逆の電荷である。
【００７１】
次に、トナー像が転写された中間転写ベルト１４３は、駆動ローラ１４１および従動ローラ１４２が回転することによって、二次転写ローラ１４５の方向へ移動する。中間転写ベルト１４３のトナー像が転写された部分が二次転写ローラ１４５に到達するタイミングで、給紙部１３によって給紙されレジストローラ１３４が待機させている用紙Ｐを送り出す。レジストローラ１３４によって用紙Ｐが送り出されると、駆動ローラ１４１、従動ローラ１４２によって回転している二次転写ローラ１４５が、二次対向ローラとの間で用紙Ｐと中間転写ベルト１４３を挟み込み、二次転写バイアスをかける。すると、中間転写ベルト１４３の表面に形成されているトナー像が用紙Ｐに二次転写される。なお、二次転写バイアスとは、中間転写ベルト１４３の表面に帯電されている静電荷とは逆の電荷である。
【００７２】
このように、用紙Ｐにトナー像が転写されると、定着部１５が定着処理を行う（ステップＳ２７）。具体的には、定着部１５の搬送ベルト１５１が、トナー像が転写された用紙Ｐを定着ローラ１５３の方向へ搬送する。搬送された用紙Ｐが定着ローラ１５３と定着ベルト１５２とが接する位置に到達すると、定着ローラ１５３は定着対向ローラ１５５との間に用紙Ｐを挟み込む。このとき、定着ローラ１５３は発熱部１５６によって加熱されているので、用紙Ｐは加圧されるのと同時に所定の定着温度で加熱される。用紙Ｐ上のトナー像を形成しているトナーは加熱されることによって溶融するので、その状態で定着ローラ１５３と定着対向ローラ１５５で溶融されたトナーを加圧するとトナーの樹脂成分が用紙Ｐに溶着する。このように定着処理を行うことで、転写後、不安定であった用紙Ｐ上のトナーが安定する。トナーが用紙Ｐに定着すると、排紙部１６が排紙処理を行う（ステップＳ２８）。具体的には、排紙部１６の排紙ベルト１６１が用紙Ｐを排紙口１６３の方向に搬送し、搬送された用紙Ｐは排紙口１６３から排出され、排出された用紙Ｐは排紙トレイ１６４に収容される。
【００７３】
＜＜実施形態の補足＞＞
なお、本実施形態では、ステップＳ２１で送受信部５２が、情報処理装置３からネットワーク経由で送信された画像情報を受け付けるとしているが、画像読取部１１が原稿用紙から読み取った画像情報を受け付けるとしてもよい。
【００７４】
また、本実施形態では、情報処理装置３の画像情報記憶部３０００に記憶されている画像情報を送信部３２１が送信するとしているが、情報処理装置３が生成した画像情報等、画像情報記憶部３０００に記憶されていない画像情報を送信部３２１が送信するとしてもよい。
【００７５】
また、画像情報変換部５６１は、送受信部５２によって受信された画像情報に対して色空間変換処理および下色除去処理をして画像形成情報に変換するとしているが、画像読取制御部５４によって読み出された画像情報に対して色空間変換処理および下色除去処理をして画像形成情報に変換してもよい。
【００７６】
また、記憶部５０００が、用紙品種に関連付けて用紙光沢度Ｇｐを管理している用紙情報テーブルを記憶しておき、ユーザによって入力された用紙品種に基づいて用紙光沢度変換部５６２が用紙光沢度Ｇｐをトナー総付着量に変換してもよい。用紙品種とは用紙光沢度を一意に決める情報である。図１２に示されるように、記憶部５０００の用紙情報管理テーブルには用紙品種「Ａ社エコペーパー  タイプ１」に関連付けて用紙光沢度Ｇｐ「２０」、用紙品種「Ｂ社ＰＰＣ用紙  タイプ３」に関連付けて用紙光沢度Ｇｐ「３２」が記憶されている。
【００７７】
この場合、表示・操作部１７には、用紙光沢度変換部５６２が、光センサ１３５によって検知された用紙光沢度Ｇｐに基づいて用紙光沢度Ｇｐをトナー総付着量に変換するか、用紙品種に関連付けて記憶されている用紙光沢度Ｇｐに基づいて用紙光沢度Ｇｐをトナー総付着量に変換するか、をユーザに選択させるためのボタンが表示される。例えば、図１３（１）に示されるように「検知」ボタン１７１ａおよび「用紙品種」１７１が表示・操作部１７に表示される。ここで、図１３（１）に示される「検知」ボタンがユーザによって押下された場合、入力受付部５３は用紙光沢度Ｇｐに基づいて用紙光沢度変換部５６２が用紙光沢度を変換することを表す情報を受け付ける。すると、上述の画像形成処理において光センサ１３５が用紙光沢度Ｇｐを検知し、用紙光沢度変換部５６２が検知された用紙光沢度Ｇｐをトナー総付着量に変換する。
【００７８】
また、「用紙品種」ボタンがユーザによって押下された場合、表示・操作部１７には用紙品種をユーザに選択させるためのボタンが表示される。具体的には、表示・操作部１７には図１３（２）に示されるように、記憶部５０００の用紙情報管理テーブルに記憶されている用紙品種が表示される。そして、ユーザによって用紙品種が選択されると、用紙光沢度変換部５６２は選択された用紙品種をトナー総付着量に変換する。具体的には、ユーザが「Ａ社エコペーパー  タイプ１」を押下した場合、記憶・読出処理部５６２１が図１２に示される用紙情報管理テーブルから「Ａ社エコペーパー  タイプ１」に対応する光沢度Ｇｐ「２０」を読み出す。さらに、記憶・読出処理部５６２１が光沢度管理テーブルで光沢度Ｇｐ「２０」に対応付けて管理されているをトナー総付着量を読み出す。なお、用紙情報管理テーブルから情報を読み出す記憶・読出処理部５６２１は第二の読出手段の一例である。
【００７９】
なお、記憶部５０００の用紙情報テーブルは記録媒体情報記憶手段に記憶されている情報の一例である。また、用紙品種を表す情報は記録媒体情報の一例である。
【００８０】
また、光センサ１３５は給紙トレイ１３１に収容されている用紙のうち最上位置にある用紙光沢度Ｇｐを検知するとしているが、給紙部１３によって給紙トレイ１３１から転写部１４に搬送されるまでのいずれかで用紙光沢度Ｇｐを検知してもよい。
【００８１】
＜＜実施形態の効果＞＞
本実施形態によれば、用紙光沢度Ｇｐに対応して読み出されたトナー総付着量から有色トナーのトナー総付着量を減じた量のクリアトナーを有色トナーの上に付着させることによって、様々な光沢度の用紙において用紙内の画像部の画像光沢度Ｇと非画像部の用紙光沢度Ｇｐを均一にした画像形成を行うことができるという効果を奏する。
【符号の説明】
【００８２】
１  画像形成装置
１０  制御部
１０１１  ＣＰＵ
１０１２  ＭＥＭ−Ｐ
１０１２ａ  ＲＯＭ
１０１２ｂ  ＲＡＭ
１０１３  ＮＢ
１０１４  ＳＢ
１０１５  ＡＧＰバス
１０１６  ＡＳＩＣ
１０１７  ＭＥＭ−Ｃ
１０１８  ＨＤ
１０１９  ＨＤＤ
１０２  ネットワークＩ／Ｆ
１１  画像読取部
１１１  コンタクトガラス
１１２  読取センサ
１２  作像部
１２０  画像形成ユニット
１２１  現像剤収容部
１２２  感光体ドラム
１２３  帯電部
１２４  露光部
１２５  現像部
１２６  除電部
１２７  清掃部
１３  給紙部
１３１  用紙収容部
１３２  給紙ローラ
１３３  給紙ベルト
１３４  レジストローラ
１３５  光センサ
１４  転写部
１４１  駆動ローラ
１４２  従動ローラ
１４３  中間転写ベルト
１４４  一次転写ローラ
１４５  二次転写ローラ
１４６  二次対向ローラ
１４７  テンションローラ
１５  定着部
１５１  搬送ベルト
１５２  定着ベルト
１５３  定着ローラ
１５４  定着ベルト搬送ローラ
１５５  定着対向ローラ
１５６  発熱部
１６  排紙部
１６１  搬送ベルト
１６２  排紙ローラ
１６３  排紙口
１７  表示・操作部
１７１  パネル表示部
１７２  操作部
３  情報処理装置
３０１  ＣＰＵ
３０２  ＲＯＭ
３０３  ＲＡＭ
３０４  ＨＤ
３０５  ＨＤＤ
３０６  記憶メディア
３０７  メディアドライブ
３０８  ディスプレイＩ／Ｆ
３０９  ネットワークＩ／Ｆ
３１０  キーボードＩ／Ｆ
３１１  マウスＩ／Ｆ
３１２  ＣＤ−ＲＯＭ
３１３  ＣＤ−ＲＯＭドライブ
３１４  バスライン
３２１  送信部
３２２  表示制御部
３２３  操作入力受付部
３２４  光沢情報生成部
３２９  記憶・読出処理部
３０００  記憶部
３３０  表示装置
４  搬送ベルト
５２  送受信部
５３  入力受付部
５４  画像読取制御部
５６  画像処理部
５６１  画像情報変換部
５６２  用紙光沢度変換部
５６３  クリアトナー付着量算出部
５６４  光沢制御判定部
５９  記憶・読出処理部
５０００  記憶部
【先行技術文献】
【特許文献】
【００８３】
【特許文献１】特開２００９−２８８７３３号公報
【図１】
2013205463.tif 000003
【図２】
2013205463.tif 000004
【図３】
2013205463.tif 000005
【図４】
2013205463.tif 000006
【図５】
2013205463.tif 000007
【図６】
2013205463.tif 000008
【図７】
2013205463.tif 000009
【図８】
2013205463.tif 000010
【図９】
2013205463.tif 000011
【図１０】
2013205463.tif 000012
【図１１】
2013205463.tif 000013
【図１２】
2013205463.tif 000014
【図１３】
2013205463.tif 000015